(57)【要約】【課題】歯科医院の要求に合わせた歯科診療装置の変更を容易に行うことができ、製造効率を向上させることができ、許認可に対応することが可能な構造とする。【解決手段】歯科診療装置は、歯科診療に用いる器具の制御部及び／又は駆動のための信号やエネルギーを器具に対して供給する配管部の全部又は一部を収納した第１の筐体１，２と、それぞれの第１の筐体１，２の外側に配置される第２の筐体３，４とを備える。【選択図】  図１
2004313530.tif 000002
【特許請求の範囲】
【請求項１】
歯科診療に用いる器具の制御部及び／又は駆動のための信号やエネルギーを器具に対して供給する配管部の全部又は一部を収納した第１の筐体と、第１の筐体の外側に配置される第２の筐体とを備えていることを特徴とする歯科診療装置。
【請求項２】
前記配管部が可撓性を有しており、この配管部によって複数の第１の筐体が連結された状態でそれぞれの第１の筐体が第２の筐体の内部に配置され、前記配管部が第２の筐体に配設されていることを特徴とする請求項１記載の歯科診療装置。
【請求項３】
第２の筐体が診療用キャビネット、フライングアーム、床上で移動可能なカート、持ち運び可能なポータブルケース、診療用椅子の内の１つ又は複数であることを特徴とする請求項１または２記載の歯科診療装置。
【請求項４】
第２の筐体はオーバーアームを有し、前記配管部がオーバーアームに沿うように配設されていることを特徴とする請求項１〜３のいずれかに記載の歯科診療装置。
【請求項５】
第２の筐体は配管部を配設するためのガイド凹部を有していることを特徴とする請求項１〜４のいずれかに記載の歯科診療装置。
【請求項６】
第１の筐体及び第２の筐体の対向部分に相互の組み付けを行う組付手段が設けられていると共に、第２の筐体における組付手段は複数の第２の筐体間で共通となっていることを特徴とする請求項１〜５のいずれかに記載の歯科診療装置。
【請求項７】
第１の筐体及び第２の筐体が中間部材を介して組み付けられていることを特徴とする請求項１〜６のいずれかに記載の歯科診療装置。
【請求項８】
第１の筐体は操作スイッチパネルを独立状態で有していることを特徴とする請求項１〜７のいずれかに記載の歯科診療装置。
【請求項９】
複数の第１の筐体が光通信又は電波通信を介して相互に通信可能となっていることを特徴とする請求項１〜８のいずれかに記載の歯科診療装置。
【請求項１０】
第１の筐体が電磁波シールド構造となっている請求項１〜９のいずれかに記載の歯科診療装置。
【発明の詳細な説明】
【０００１】
【発明の属する技術分野】
本発明は、第１の筐体及び第２の筐体を備えることにより、歯科診療所の環境や歯科診療医の状態に好適に適合させることが可能な歯科診療装置に関する。
【０００２】
【従来の技術及び発明が解決しようとする課題】
近年においては、歯科診療の目的がウ蝕の修復だけでなく、予防や審美歯科や矯正歯科など多様化しており、歯科医院へ来院する患者心理も多様化している。このような目的が異なる場合には、来院者が受ける歯科医院の印象が異なるものである。例えば、ウ蝕修復に来院する患者は痛みを取りたいと言う切実な心理状態で来院するため、歯科医院の雰囲気は心理的に大きなバリヤーとはならない反面、予防目的の来院や歯のホワイトニングなど審美や美容的要素が多い目的の来院の場合には、歯科医院の治療空間的雰囲気が患者にとって大きな心理的負担になる。従って、これらを目的としている場合には、来院が遅れがちであり、間接的にウ蝕発見の遅れにつながっている。
【０００３】
このようなことから患者の心理的負担を少なくして、気楽に来院できるようにする必要があるが、このためには歯科医院の雰囲気をソフト調に変更することが必須となる。このためには、歯科診療室の内装のみならず、少なくとも歯科診療装置の外装部分を診療室の内装と一体的な雰囲気とする必要がある。しかしながら歯科医院の内装が多様化していることから、これに合わせた雰囲気を有する外装の歯科診療装置への変更は、歯科診療装置の全体に及ぶため、事実上、歯科医院側で行うことができない問題がある。
【０００４】
また、歯科診療の方法も、立位、椅座位や他の治療ポジションなど歯科医師の好みと経験によって異なっているのに加えて、治療も予防から外科的処置が必要なインプラント手術などまで千差万別となっている。このため、歯科機器メーカはそれぞれの歯科医院の要求を満足させる機種を複数種類製造する必要があり、製造効率が悪いと共に在庫コストが嵩むため、歯科診療装置のコストアップの要因となっている。
【０００５】
さらに、公的機関基盤が脆弱な国では、一種類の歯科診療装置についての許可申請を行ってから許認可を取得するまでに数年を要する場合もまれではなく、このため、術者の要求に応じた数種類の歯科診療装置を提供できる態勢とするまでに長時間を要する問題がある。
【０００６】
本発明は、このような問題点を考慮してなされたものであり、歯科診療装置の外装部分の変更を容易に行うことができ、しかも構成部品間での互換性を有することにより製造効率を向上させることができ、許認可に対応することが可能な構造の歯科診療装置を提供することを目的とする。
【０００７】
【課題を解決するための手段】
上記目的を達成するため、請求項１の発明の歯科診療装置は、歯科診療に用いる器具の制御部及び／又は駆動のための信号やエネルギーを器具に対して供給する配管部の全部又は一部を収納した第１の筐体と、第１の筐体の外側に配置される第２の筐体とを備えていることを特徴とする。
【０００８】
請求項１の発明では、第１の筐体及び外側の第２の筐体に分離し、第１の筐体に、歯科診療に用いる器具の制御部及び／又は駆動のための信号やエネルギーを器具に対して供給する配管部の全部又は一部を収納することにより、患者の目に触れる部材や術者の手が触れ滅菌消毒が必要な部材或いはオーバーアームやトレイなどの付加的な機能を有する部材を第２の筐体に配置することができる。
【０００９】
これにより、歯科診療に必要不可欠な部分と、歯科診療の際の副次的な部分とを分けることができる。このような構造では、第１の筐体をそのままにした状態で、第２の筐体に対して変更や取り換えを行うことができる。このため、多様性を備えることができ、装置の外装の変更が容易となるばかりでなく、歯科医院の要求に応じた機種の製造を効率良く行うことができる。さらには、第１の筐体への許認可を取得しておき、許認可を取得した第１の筐体に対して第２の筐体を任意に組み付けることにより、術者の要求に応じた機種を早期に提供することが可能となる。
【００１０】
請求項２の発明は、請求項１記載の歯科診療装置であって、前記配管部が可撓性を有しており、この配管部によって複数の第１の筐体が連結された状態でそれぞれの第１の筐体が第２の筐体の内部に配置され、前記配管部が第２の筐体に配設されていることを特徴とする。
【００１１】
請求項２の発明では、複数の第１の筐体の連結を行う配管部を第２の筐体に配置することにより、審美性を損ねることなく配管部を収納することができる。
【００１２】
請求項３の発明は、請求項１または２記載の歯科診療装置であって、第２の筐体が診療用キャビネット、フライングアーム、床上で移動可能なカート、持ち運び可能なポータブルケース、診療用椅子の内の１つ又は複数であることを特徴とする。
【００１３】
このように診療用キャビネット、フライングアーム、床上で移動可能なカート、持ち運び可能なポータブルケースまたは診療用椅子を第２の筐体とすることにより、必要に応じた変更を行うことができ、設計の自由度が増大する。
【００１４】
請求項４の発明は、請求項１〜３のいずれかに記載の歯科診療装置であって、第２の筐体はオーバーアームを有し、前記配管部がオーバーアームに沿うように配設されていることを特徴とする。
【００１５】
このように配管部をオーバーアームに沿って配置することにより、配管部専用の配設部材が不要となり、簡単な構造とすることができる。また、配管部がオーバーアームに沿うことにより、配管部が目立つことがなくなり、審美性が向上する。
【００１６】
請求項５の発明は、請求項１〜４のいずれかに記載の歯科診療装置であって、第２の筐体は配管部を配設するためのガイド凹部を有していることを特徴とする。
【００１７】
請求項５の発明では、第２の筐体に設けたガイド凹部に配管部を配設することにより、配管部が目立つことがなく、審美性が向上する。
【００１８】
請求項６の発明は、請求項１〜５のいずれかに記載の歯科診療装置であって、第１の筐体及び第２の筐体の対向部分に相互の組み付けを行う組付手段が設けられていると共に、第２の筐体における組付手段は複数の第２の筐体間で共通となっていることを特徴とする。
【００１９】
請求項６の発明では、組付手段によって第１の筐体と第２の筐体との位置決めを行うため、これらを秩序正しく組み付けることができる。また、第２の筐体側の組付手段が共通となっているため、第１の筐体に対し、複数の第２の筐体を交換することができる。このため、第２の筐体の交換を歯科医院側でも容易に行うことができ、第２の筐体を診療内容に合わせたものとすることができる。
【００２０】
請求項７の発明は、請求項１〜６のいずれかに記載の歯科診療装置であって、第１の筐体及び第２の筐体が中間部材を介して組み付けられていることを特徴とする。
【００２１】
請求項７の発明では、第１の筐体と第２の筐体とを中間部材を介して組み付けるため、直接に組み付けるのに比べ、設計の自由度を増大させることができる。
【００２２】
請求項８の発明は、請求項１〜７のいずれかに記載の歯科診療装置であって、第１の筐体は操作スイッチを独立状態で有していることを特徴とする。
【００２３】
このように操作スイッチを第１の筐体と独立させることにより、操作スイッチへの操作性が向上すると共に、操作スイッチの設計を第１の筐体と別個に行うことができるため、設計の自由度も増大する。
【００２４】
請求項９の発明は、請求項１〜８のいずれかに記載の歯科診療装置であって、複数の第１の筐体が光通信または電波通信を介して相互に通信可能となっていることを特徴とする。
【００２５】
このように複数の第１の筐体が光通信または電波通信可能となっていることにより、電線等による接続が不要となり、第１の筐体の配置を自由に行うことができる。
【００２６】
請求項１０の発明は、請求項１〜９のいずれかに記載の歯科診療装置であって、第１の筐体が電磁波シールド構造となっている。
【００２７】
請求項１０の発明では、第１の筐体が電磁波シールド構造となっていることにより、第１の筐体から他の機器への悪影響をなくすことができる。従って、他の機器の設計及び素材選択の自由度が増大する。
【００２８】
【発明の実施の形態】
以下、本発明を図示する実施の形態により具体的に説明する。なお、各実施の形態において、同一の部材には同一の符号を付して対応させてある。
【００２９】
（実施の形態１）
図１は、本発明の実施の形態１における歯科診療装置を示す。この実施の形態の歯科診療装置は、２つの第１の筐体１，２と、２つの第２の筐体３，４とを有している。
【００３０】
２つの第２の筐体３，４は、診療用キャビネットを構成するものであり、一方の第２の筐体３は、患者が着座する診療用椅子（図示省略）の近傍に配置されるアシスタント側キャビネットとなっており、このキャビネットには、スピットンボール５が設けられている。他方の第２の筐体４は、ドクター椅子（図示省略）の近傍に配置されるドクター側キャビネットとなっている。
【００３１】
２つの第１の筐体１及び第１の筐体２は、コード等からなる配管部６によって接続されており、一方の第１の筐体１が一方の第２の筐体３の内部に配置され、他方の第１の筐体２が他方の第２の筐体４の内部に配置されている。
【００３２】
一方の第１の筐体１には、フットコントローラ７がフットコントローラ用ホース８を介して接続されている。フットコントローラ７は一方の第１の筐体１から外側に引き出されており、これにより歯科診療時に術者が足で操作することが可能となっている。
【００３３】
他方の第１の筐体２は、歯科診療に用いる各種のインスツルメント（図示省略）を着脱自在に引っ掛けるためのインスツルメントハンガー９を有している。インスツルメントハンガー９は第２の筐体４から外側に延びており、他方の第１の筐体２はインスツルメントハンガー９が他方の第２の筐体４から突出するように他方の第２の筐体４内に配置される。この他方の第１の筐体２は、各種のインスツルメントが接続されるものであり、このため、他方の第１の筐体２は、インスツルメントの駆動を制御するプリント配線基板等のインスツルメント制御部を格納している。
【００３４】
一方の第１の筐体１は、配管部６を介して他方の第１の筐体２に対して制御のための信号や電力、圧搾空気等の駆動のためのエネルギーを供給するものである。このため、一方の第１の筐体１の内部には、制御用のプリント配線基板が配置される。
【００３５】
配管部６は一方の第１の筐体１から引き出された後、診療室のフロア上に沿って配設されて他方の第２の筐体４の内部に引き込まれ、引き込み端部が他方の第１の筐体２に接続されている。このように２つの第１の筐体１，２を配管部６を介して接続することにより、それぞれの第１の筐体１，２に機能を分担させることができる。このため、それぞれの第１の筐体１，２を小型化することができ、その配置を容易に行うことができると共に配置の自由度が増大する。
【００３６】
このような実施の形態では、第１の筐体１，２に歯科診療のための機能を組み込むことにより、第１の筐体１，２だけで動作試験を行うことができる。そして、その後に、歯科医院等の実際の使用場所で第２の筐体３，４に第１の筐体１，２を組み付けることにより歯科診療装置として機能させることができる。このように第１の筐体１，２と第２の筐体３，４とを別個とすることにより、第２の筐体３，４に対する自由度が増大する。このため、第２の筐体３，４の形状や外装を任意に設計することができ、例えば、歯科治療専用のデザインや審美専用のデザインなど歯科医院が要求するデザインに簡単に適合させることができる。
【００３７】
また、第１の筐体１，２及び第２の筐体３，４を別個に製造できるため、製造効率が向上するばかりでなく、実際の使用場所で組み立てることができるため、歯科診療装置の全体の保管コストや輸送コストを低減させることが可能となる。
【００３８】
さらには、歯科診療機能を有する第１の筐体１，２に対しての許認可を取得しており、その後に、第１の筐体１，２に第２の筐体３，４を組み付けて実際の使用を行うことができる。このため、術者の要求に応じた仕様での提供を簡単に行うことができる。
【００３９】
（実施の形態２）
図２及び図３は本発明の実施形態２を示す。この実施形態では、実施形態１と同様に、一方の第１の筐体１がアシスタント側キャビティを構成する一方の第２の筐体３の内部に配置されている。一方の第２の筐体３は、オーバーアーム１０を有している。
【００４０】
オーバーアーム１０は、一方の第２の筐体３となっているアシスタント側キャビティ３に回動可能に取り付けられており、術者が手操作することにより任意の治療位置に移動可能となっている。オーバーアーム１０の先端には、他方の第２の筐体４としてのドクターテーブル１１が取り付けられており、このドクターテーブル１１の内部に、他方の第１の筐体２が配置されている。
【００４１】
他方の第１の筐体２は、インスツルメント１２を引っ掛けるためのインスツルメントハンガー９を有している。これによりインスツルメント１２の引っ掛けが可能となっている。インスツルメント１２は、他方の第１の筐体２から引き出されたホース１３の先端に連結されている。この場合、図３に示すように、ホース１３を支持して案内するためのフライングアーム１４がインスツルメントハンガー９と対応するように他方の第２の筐体１１に取り付けられるものである。
【００４２】
この実施の形態において、一方の第１の筐体１と他方の第１の筐体２とは、配管部６によって接続されている。配管部６は可撓性を有しており、オーバーアーム１０の内部に同アーム１０に沿って配置されている。配管部６が可撓性を有することにより、オーバーアーム１０の動きに追随することが可能となっており、オーバーアーム１０の操作への支障となることがない。
【００４３】
この実施の形態では、実施の形態１と同様な効果を有しているのに加えて、２つの第１の筐体１，２を連結する配管部６をオーバーアーム１０に沿って配置することにより、配管部６とオーバーアーム１０とを別個に配置する必要がなくなるため、そのための作業が不要となるメリットがある。また、実施の形態１の第１の筐体１，２を用いることが可能となるため、複数の機種を製造する必要がなくなる。このため歯科診療装置を安価に提供することができる。
【００４４】
図４は、この実施の形態の変形々態であり、患者が着座する診療用椅子１６への適用を示す。
【００４５】
この形態においても、可撓性を有した配管部６をオーバーアーム１０に沿って配置することにより、他方の第２の筐体４からなるドクターテーブル１１を診療用椅子１６に接近させたり遠ざけることが容易となり、歯科診療を効率的に行うことが可能となっている。
【００４６】
（実施の形態３）
図５は、本発明の実施の形態３を示す。この実施の形態では、第１の筐体を診療用椅子１６に配置するものである。
【００４７】
診療用椅子１６は、診療室のフロア上に固定された基台１８に支持されており、その座部１６ａの一端側にフットレスト部１６ｂが回動可能に取り付けられている。また、座部１６ａの他端側からは背もたれ部１６ｃが起伏可能に取り付けられており、この背もたれ部１６ｃの背面に角度調整可能な収納ボックス１７が取り付けられ、収納ボックス１７の内部に実施の形態１及び２の他方の第１の筐体２が配置されている。
【００４８】
このような実施の形態では、診療用椅子１６が他方の第２の筐体４を配置するための他方の第２の筐体４となるものであり、術者は背もたれ部１６ｃからインスツルメント１２を取り出して治療を行うことが可能となる。
【００４９】
この場合、フットコントローラ用ホース８を診療用椅子１６の昇降部分に沿って配置することにより、フットコントローラ７を術者の足下に配置することが可能となる。
【００５０】
図６は、この形態の変形々態を示す。この形態では、収納ボックス１７が診療用椅子１６の座部１６ａの側面部分に設けられており、この収納ボックス１７に他方の第１の筐体２が収納されている。他方の第１の筐体２は、インスツルメントハンガー９を有しており、このインスツルメントハンガー９が後ろ向きとなるように他方の第１の筐体２に設けられている。従って、診療用椅子１６に着座した患者がインスツルメントハンガー９から取り出したインスツルメントを見ることがなく、診療を行うことができる。
【００５１】
なお、図５及び図６の実施の形態では、一方の第１の筐体１を診療用椅子１６の内部に配置することも可能である。
【００５２】
（実施の形態４）
図７は、本発明の実施の形態４を示し、診療室のフロア上を移動可能なカート２０を第２の筐体として用いるものである。
【００５３】
カート２０は、ボックス状の本体部２０ａの下端部に複数のキャスター２０ｂを備えることにより、フロア状での移動が可能となっている。この実施の形態におけるカート２０は、本体部２０ａ上にテーブル部２０ｃを備えており、本体部２０ａ内に一方の第１の筐体１が収納されている。また、テーブル部２０ｃ内には他方の第１の筐体２が収納されている。
【００５４】
これらの２つの第１の筐体１，２は配管部６（図示省略）によって連結されている。また、他方の第１の筐体２はテーブル部２０ｃから引き出されたインスツルメントハンガー９を有している。さらに、一方の第１の筐体１からはフットコントローラ用ホース８を介してフットコントローラ７が連結されている。
【００５５】
このように第２の筐体としてのカート２０内に、２つの第１の筐体１，２を収納した形態では、カート２０を診療位置に移動させるだけで歯科診療を行うことができる。カート２０としては、木材やプラスチック等の審美性を重点においた材料や滅菌消毒が容易なステンレス等の金属材料を適宜選択することができる。この場合においても、歯科診療の機能を行う第１及び第２の筐体１，２に対して許認可を取得しておき、この筐体１，２をカート２０に組み込むことにより、そのままで歯科診療を行うことができる。従って、歯科医院や術者の種々の要望に対して、迅速かつ広範囲に対応することが可能となる。
【００５６】
（実施の形態５）
図８は本発明の実施形態５を示す。この実施の形態では、ポータブルケース２２を第２の筐体として用いるものである。
【００５７】
ポータブルケース２２はケース本体２２ａと、ケース本体２２ａに被せられる蓋体２２ｂを備えていると共に、手で運搬するための取手部２２ｃを備えており、その内部に２つの第１の筐体１，２が収納されるようになっている。
【００５８】
２つの筐体１，２は、配管部６を介して連結しており、配管部６を介した連結状態でポータブルケース２２内に収納される。従って、蓋部２２ｂを開放することにより、連結状態の２つの筐体１，２を取り出して歯科診療を行うことができる。
【００５９】
このような実施の形態では、ポータブルケース２２を持ち運ぶことにより、任意の場所での歯科診療を行うことができ、診療の自由度が増大する。
【００６０】
（実施の形態６）
図９は、本発明の実施形態６を示す。この実施の形態では、図２及び図４に示すオーバーアーム１０への適用を示すものである。符号２４は、これらのアームを示すものである。アーム２４は複数のアーム部２４ａ，２４ｂを連結することにより構成されている。これらの複数のアーム部２４ａ，２４ｂにはガイド凹部２５，２６が長さ方向に沿って形成されており、ガイド凹部２５，２６内には、２つの第１の筐体１，２を連結する配管部６が配設されるようになっている。配管部６の配設の後においては、蓋部２７，２８を被せることにより、配管部６を隠蔽し、外部からの視認ができないようになっている。
【００６１】
このようなガイド凹部２５，２６を備えるアーム２４は、オーバーアームとして用いることができる。このようなアーム２４は、第２の筐体を構成するものであり、特に、配管部６が外から見えないように収納されるため審美性を向上させることが可能となっている。
なお、配管部６を配設するためのガイド凹部２５，２６は、診療用キャビネットや診療用椅子の昇降部分に対しても同様にして形成することができる。
【００６２】
（実施の形態７）
図１０及び図１１は、本発明の実施の形態７を示し、符号３０は他方の第１の筐体２を内部に配置するための第２の筐体である。他方の第１の筐体２を内部に配置するため、第２の筐体３０には、収納凹部３１が形成されている。この実施の形態では、第１の筐体２と第２の筐体３０との対向部分に相互の組み付けを行う組付手段を設けるものである。
【００６３】
図１０の形態における組付手段は、第１の筐体２の外面に形成された複数のピン状突起３３と、第２の筐体３０における第１の筐体２との対向面に形成されたボス３４とにより構成されている。そして、ピン状突起３３が対応したボス３４に嵌合することにより、第１の筐体２と第２の筐体３０との位置決め状態での組み付けられる。
【００６４】
図１１に示す形態における組付手段は、第２の筐体３０に横長のスリット突起３５を形成することにより構成されている。横長のスリット突起３５には、第１の筐体２に形成されたピン状突起３３が嵌合する。このことにより、第１の筐体２と第２の筐体３０との位置決め状態での組み付けを行うことができる。このように横長のスリット突起３５とすることにより、第１の筐体２をその長さ方向に沿って適宜位置変更することが可能となり、柔軟性のある組み付けを行うことができる。
【００６５】
この実施の形態において、第２の筐体３０側の組付手段を相手側の第１の筐体２の組付手段（例えば、ピン状突起３３）に対して共通に嵌合する構造とすることができる。このように第２の筐体３０側の組付手段を共通とすることにより、第１の筐体２に対して第２の筐体３０を任意に交換することが可能となる。このため、歯科医院や術者が自由に第２の筐体３０を変更することができ、その要求に好適に対応することが可能となる。
【００６６】
なお、この実施の形態では、第２の筐体３０に対して他方の第１の筐体２を組み付けているが、実施の形態１及び２で示すような一方の第１の筐体１に組付手段を形成し、この一方の第１の筐体１を第２の筐体３０に組み付けても良い。
【００６７】
（実施の形態８）
図１２及び図１３は、本発明の実施の形態８を示す。この実施の形態では、第１の筐体と第２の筐体とを中間部材を介して組み付けるものであり、符号４１は第１の筐体、符号４２は第２の筐体である。第１の筐体４１には、図示を省略するが、歯科診療に用いる器具の制御部及び／又は駆動のための信号やエネルギーを器具に対して供給する配管部の全部又は一部が収納される。
【００６８】
中間部材４３は、診療室のフロア４４に立設された状態でボルト等の締結部材７０を介してフロア４４に固定されている。従って、締結部材７０を取り外すことにより、中間部材を診療室の任意の他の場所に設置することが可能となっている。
【００６９】
中間部材４３の一方の面には、蟻溝を有した複数の係合用レール４３ａが縦方向に形成され、他方の面には蟻溝を有した別の複数の係合用レール４３ｂが横方向に形成されている。係合用レール４３ａ側には、第１の筐体４１が配置されており、第１の筐体４１から延びた脚部４１ａが挿入されることにより係合し、この係合によって第１の筐体４１が中間部材４３に連結されている。別の係合用レール４３ｂ側には、第２の筐体４２が配置されており、第２の筐体４２から延びた脚部４２ａが挿入されることにより同様に係合して第２の筐体４２が中間部材４３に連結されている。
【００７０】
このような構造では、第１の筐体４１及び第２の筐体４２が中間部材４３を介して組み付けられるため、組み付けの自由度が拡大する。特に、この実施の形態では、第２の筐体４２を診療の間仕切りとすることも可能である。この場合には、表面のデザインの異なった第２の筐体４２を適宜変更することにより、診療室の雰囲気を任意に変更することが可能となる。
【００７１】
（実施の形態９）
図１４及び図１５は、本発明の実施の形態９を示し、符号４５は本体部４５ａ及び蓋部４５ｂからなる第１の筐体であり、本体部４５ａの内部には、歯科診療に用いる器具の制御部及び／又は駆動のための信号やエネルギーを器具に対して供給する配管部の全部又は一部が収納される。
【００７２】
この実施の形態の第１の筐体４５は、電磁波シールド構造となっている。図１４においては、本体部４５ａ及び蓋部４５ｂの全体がステンレス等の金属によって形成されることにより、電磁波のシールドを行う。図１５においては、本体部４５ａ及び蓋部４５ｂの内面に電磁波シールド膜４６が形成されることにより、電磁波のシールドを行うようになっている。電磁波シールド膜４６としては、金属膜の蒸着や張設、金属含有ペーストの塗布等によって形成することができる。従って、図１５においては、本体部４５ａ及び蓋部４５ｂとしてプラスチックや木材を用いることができ、軽量化が可能であると共に材料選択の自由度が拡大する。
【００７３】
このように第１の筐体４５を電磁波シールド構造とすることにより、第１の筐体４５の外側に配置される他の機器（図示省略）に対する電磁波の悪影響をなくすことができる。これにより、第１の筐体と第２の筐体の組み付けの自由度が増大すると共に、歯科診療の支障となることがなくなる。
【００７４】
（実施の形態１０）
図１６〜図１９は、本発明の実施の形態１０を示す。この実施の形態では、他方の第１の筐体２が操作スイッチ４７を備えている。操作スイッチ４７は複数のスイッチを有したパネル状となっており、インスツルメント（図示省略）を始めとした治療用器具、照明、治療用椅子のアップ・ダウンの制御を行うためのものであり、術者が操作するために設けられる。操作スイッチ４７は他方の第１の筐体２とは独立した状態で設けられるものである。
【００７５】
この実施の形態においても、他方の第１の筐体２は、第２の筐体５０の内部に配置される。図１６は、操作スイッチ４７が他方の第１の筐体２の上面に配置された形態であり、操作スイッチ４７への操作を可能とするため、第２の筐体５０の対応部位には、操作のための開口部が形成される。
【００７６】
図１７〜図１９は、いずれも操作スイッチ４７が信号伝送用の電線４９を介して他方の第１の筐体２と接続された構造となっている。図１７においては、操作スイッチ４７が第２の筐体５０の外側に引き出されて使用されるものであり、第２の筐体５０には、電線４９を引き出すための凹部５０ａが形成されている。
【００７７】
図１８においては、操作スイッチ４７が第２の筐体５０の内部に収納されて使用されるものであり、このため、第２の筐体５０における操作スイッチ４７の配置部位には、操作のための開口部が形成される。
【００７８】
図１９においては、操作スイッチ４７が他方の第１の筐体２の上部に配置された状態で、これらが第２の筐体５０の内部に配置されている。従って、第２の筐体５０における操作スイッチ４７との対向部分には、操作のための開口部５０ｂが形成されている。
【００７９】
このように操作スイッチ４７を他方の第１の筐体２と独立させた形態では、操作スイッチ４７を操作しやすい位置に配置することができるため、操作性が向上する。また、操作スイッチ４７の設計を他方の第１の筐体２とは別個に行うことができるため、設計の自由度が増大する。
【００８０】
なお、この実施の形態では、操作スイッチ４７を他方の第１の筐体２と関連させているが、一方の第１の筐体１との関係で操作スイッチ４７を設けても良く、操作スイッチ４７を一方の第１の筐体１と独立させることにより、同様な効果を得ることができる。
【００８１】
（実施の形態１１）
図２０及び図２１は、本発明の実施の形態１１を示す。
【００８２】
この実施の形態では、図２０に示すように、他方の第１の筐体２が第２の筐体５３の内部に配置されており、第２の筐体５３の外側には、操作スイッチ５５が配置されている。この実施の形態において、操作スイッチ５５は他方の第１の筐体２と独立した別の第１の筐体を構成するものであり、実施の形態１０の操作スイッチ４７と同様に、複数のスイッチを有したパネル状となっており、インスツルメント（図示省略）を始めとした治療用器具、照明、治療用椅子のアップ・ダウンの制御を行うためのものであり、術者が操作するために設けられる。
【００８３】
他方の第１の筐体２と操作スイッチ５５とは、光通信手段により信号の伝送が可能となっている。光通信手段は操作スイッチ５５に設けられた発光ダイオード５６と、他方の第１の筐体２の対向位置に設けられたフォトダイオード５７とにより構成されている。
【００８４】
図２１は、この実施の形態における信号伝達回路を示す。操作スイッチ５５には、信号変換回路５９が設けられ、発光ダイオード５６は信号変換回路５９に接続されている。他方の第１の筐体２には、フォトダイオード５７に接続された信号変換回路６０が設けられ、この信号変換回路６０には、インスツルメント等を駆動するための複数の伝送回路６１が接続されている。複数の伝送回路６１にはパワートランジスタ６２が接続されると共に、電磁弁、モータ等の駆動部６３あるいはリレー６４が適宜接続されている。
【００８５】
このような構成では、操作スイッチ５５を操作することにより発生した信号が、シリアル信号となって信号変換回路５９から発光ダイオード５６に出力され、発光ダイオード５６が発光する。発光した光は、発光ダイオード５６と対向したフォトダイオード５７に受光されて電気信号に増幅変換され、信号変換回路６０に入力される。信号変換回路６０は、シリアルパラレル変換回路を有しており、シリアルパラレル変換回路に入力された後、同回路からの信号が対応したパワートランジスタ６２やリレー６４に入力され、これにより電磁弁、モータ等の駆動部６３を制御することができる。
【００８６】
このような実施の形態では、操作スイッチ５５と他方の第１の筐体２とが光通信手段により接続されているため、電線による接続が不要となる。このような構造では、他方の第１の筐体２を図示を省略した第２の筐体によって完全に覆うか、あるいは他方の第１の筐体２の表面に光信号の受光部だけを配置すれば良く、これにより第２の筐体の設計の自由度を拡大することができる。
【００８７】
なお、この実施の形態では光通信手段に代えて、微弱な電波を用いた通信手段により通信を行っても良く、この場合においても無線による通信のため、上述と同様な効果を得ることができる。
【００８８】
以上の実施の形態では、第１の筐体を１つまたは２つ設けているが、本発明では、３つ以上設けても良く、この場合には、第２の筐体は相応する数で設けられるものである。
【００８９】
【発明の効果】
以上説明したように、本発明によれば、歯科診療に必要不可欠な部分からなる第１の筐体と歯科診療の際の副次的な部分からなる外側の第２の筐体とに分離することにより、第１の筐体をそのままにした状態で第２の筐体に対して変更や取り換えを行うことができるため、多様性を有し、歯科医院が要求する外装の変更が容易となるばかりでなく、歯科医院の要求に応じた機種の製造を効率良く行うことができる。また、第１の筐体への許認可を取得しておき、許認可を取得した第１の筐体に対して第２の筐体を任意に組み付けることにより、術者の要求に応じた機種を早期に提供することができる。
【図面の簡単な説明】
【図１】本発明の実施の形態における全体構成の斜視図である。
【図２】実施の形態２の斜視図である。
【図３】実施の形態２の部分側面図である。
【図４】実施の形態２の変形々態を示す斜視図である。
【図５】実施の形態３の斜視図である。
【図６】実施の形態３の変形々態を示す斜視図である。
【図７】実施の形態４を示す斜視図である。
【図８】実施の形態５を示す斜視図である。
【図９】実施の形態６を示す分解斜視図である。
【図１０】実施の形態７を示す斜視図である。
【図１１】実施の形態７を示す斜視図である。
【図１２】実施の形態８に用いる中間部材の斜視図である。
【図１３】実施の形態８の側面図である。
【図１４】実施の形態９の斜視図である。
【図１５】実施の形態９の別例の断面図である。
【図１６】実施の形態１０の第１例の斜視図である。
【図１７】実施の形態１０の第２例の斜視図である。
【図１８】実施の形態１０の第３例の斜視図である。
【図１９】実施の形態１０の第４例の斜視図である。
【図２０】実施の形態１１の断面図である。
【図２１】実施の形態１１に用いる回路の構成図である。
【符号の説明】
１  一方の第１の筐体
２  他方の第１の筐体
３  一方の第２の筐体
４  他方の第２の筐体
６  配管部
７  フットコントローラ
１０  オーバーアーム
１６  診療用椅子
２０  カート
２２  ポータブルケース
２５，２６  ガイド凹部
３０  第２の筐体
４１，４５  第１の筐体
４２，５０，５３  第２の筐体
４３  中間部材
４７，５５  操作スイッチ
【図１】
2004313530.tif 000003
【図２】
2004313530.tif 000004
【図３】
2004313530.tif 000005
【図４】
2004313530.tif 000006
【図５】
2004313530.tif 000007
【図６】
2004313530.tif 000008
【図７】
2004313530.tif 000009
【図８】
2004313530.tif 000010
【図９】
2004313530.tif 000011
【図１０】
2004313530.tif 000012
【図１１】
2004313530.tif 000013
【図１２】
2004313530.tif 000014
【図１３】
2004313530.tif 000015
【図１４】
2004313530.tif 000016
【図１５】
2004313530.tif 000017
【図１６】
2004313530.tif 000018
【図１７】
2004313530.tif 000019
【図１８】
2004313530.tif 000020
【図１９】
2004313530.tif 000021
【図２０】
2004313530.tif 000022
【図２１】
2004313530.tif 000023